【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
コネクタと、
前記コネクタに外部機器が接続されたことに応じて、
前記外部機器が所定の通信規格に準拠した通信が可能か否かを判定する判定手段と、
前記外部機器と前記コネクタを介した通信を制御する制御手段と、
を備え、
前記制御手段は、
前記判定手段が、前記外部機器が前記所定の通信規格に準拠した通信が可能か否かを判定する前に、前記外部機器に対して第１の電力で電力の供給が可能であることを示す情報を前記外部機器に提示し、
前記判定手段が、前記外部機器が前記所定の通信規格に準拠した通信が可能と判定したことに応じて、前記外部機器に対して前記第１の電力より大きい第２の電力で電力の供給が可能であることを示す情報を前記外部機器に提示するように、前記通信を制御することを特徴とする電子機器。
【請求項２】
前記所定の通信規格は、ＤｉｓｐｌａｙＰｏｒｔであることを特徴とする請求項１に記載の電子機器。
【請求項３】
前記所定の通信規格は、ＵＳＢ３．１規格に定められたオルタネートモードであることを特徴とする請求項１に記載の電子機器。
【請求項４】
前記第１の電力は０Ｗであることを特徴とする請求項１乃至３のいずれか１項に記載の電子機器。
【請求項５】
前記制御手段は、前記コネクタに備えられた所定の端子がプルアップ抵抗に接続された状態で、前記所定の端子の電位が所定の範囲内となったことに応じて、前記外部機器に対して前記第１の電力で電力の供給が可能であることを示す情報を前記外部機器に提示するように、前記通信を制御することを特徴とする請求項１乃至４のいずれか１項に記載の電子機器。
【請求項６】
前記外部機器に対して前記第１の電力で電力の供給が可能であることを示す情報を前記外部機器に提示したあとで前記外部機器から応答がない場合、前記制御手段は、前記外部機器に対して前記第１の電力より大きい第３の電力で電力の供給が可能であることを示す情報を提示するように、前記通信を制御することを特徴とする請求項１乃至５のいずれか１項に記載の電子機器。
【請求項７】
前記所定の端子をプルアップ抵抗又はプルダウン抵抗に接続可能なスイッチを更に有し、
前記制御手段は、前記スイッチを周期的に切り替え、前記所定の端子の電圧が所定の範囲に含まれる場合に、前記スイッチの前記切り替えを停止する
ことを特徴とする請求項１乃至６のいずれか１項に記載の電子機器。
【請求項８】
前記コネクタと前記外部機器との接続を検出する検出手段を更に有し、
前記制御手段は、前記検出手段が前記コネクタと前記外部機器との接続を検出したことに応じて前記第１の電力を示す情報を前記外部機器に提示するように、前記通信を制御する
ことを特徴とする請求項１乃至７のいずれか１項に記載の電子機器。
【請求項９】
前記コネクタは、ＵＳＢ  Ｔｙｐｅ−Ｃ規格に準拠していることを特徴とする請求項１乃至８のいずれか１項に記載の電子機器。
【請求項１０】
電子機器のコネクタに外部機器が接続されたことに応じて、前記外部機器が所定の通信規格に準拠した通信が可能か否かを判定するステップと、
前記外部機器と前記コネクタを介した通信を制御するステップと
を備え、
前記制御するステップは、
前記判定するステップが、前記外部機器が前記所定の通信規格に準拠した通信が可能か否かを判定する前に、前記外部機器に対して第１の電力で電力の供給が可能であることを示す情報を前記外部機器に提示するステップと、
前記判定するステップが、前記外部機器が前記所定の通信規格に準拠した通信が可能と判定したことに応じて、前記外部機器に対して前記第１の電力より大きい第２の電力で電力の供給が可能であることを示す情報を前記外部機器に提示するように、前記通信を制御するステップと
を有することを特徴とする電子機器の制御方法。
【請求項１１】
前記所定の通信規格は、ＤｉｓｐｌａｙＰｏｒｔであることを特徴とする請求項１０に記載の電子機器の制御方法。
【請求項１２】
前記所定の通信規格は、ＵＳＢ３．１規格に定められたオルタネートモードであることを特徴とする請求項１０に記載の電子機器の制御方法。
【請求項１３】
前記第１の電力は０Ｗであることを特徴とする請求項１０乃至１２のいずれか１項に記載の電子機器の制御方法。
【請求項１４】
前記制御するステップは、前記コネクタに備えられた所定の端子がプルアップ抵抗に接続された状態で、前記所定の端子の電位が所定の範囲内となったことに応じて、前記外部機器に対して前記第１の電力で電力の供給が可能であることを示す情報を前記外部機器に提示するように、前記通信を制御するステップを含むことを特徴とする請求項１０乃至１３のいずれか１項に記載の電子機器の制御方法。
【請求項１５】
前記外部機器に対して前記第１の電力で電力の供給が可能であることを示す情報を前記外部機器に提示したあとで前記外部機器から応答がない場合、前記制御するステップは、前記外部機器に対して前記第１の電力より大きい第３の電力で電力の供給が可能であることを示す情報を提示するように、前記通信を制御するステップを含むことを特徴とする請求項１０乃至１４のいずれか１項に記載の電子機器の制御方法。
【請求項１６】
前記制御するステップは、
前記所定の端子をプルアップ抵抗又はプルダウン抵抗に接続可能なスイッチを周期的に切り替えるステップと、
前記所定の端子の電圧が所定の範囲に含まれる場合に、前記スイッチの前記切り替えを停止するステップと
を含むことを特徴とする請求項１０乃至１５のいずれか１項に記載の電子機器の制御方法。
【請求項１７】
前記コネクタと前記外部機器との接続を検出するステップを更に有し、
前記制御するステップは、前記検出するステップが前記コネクタと前記外部機器との接続を検出したことに応じて前記第１の電力を示す情報を前記外部機器に提示するように、前記通信を制御するステップを含む
ことを特徴とする請求項１０乃至１６のいずれか１項に記載の電子機器の制御方法。
【請求項１８】
前記コネクタは、ＵＳＢ  Ｔｙｐｅ−Ｃ規格に準拠していることを特徴とする請求項１０乃至１７のいずれか１項に記載の電子機器の制御方法。
【請求項１９】
コンピュータに、
電子機器のコネクタに外部機器が接続されたことに応じて、前記外部機器が所定の通信規格に準拠した通信が可能か否かを判定するステップと、
前記外部機器と前記コネクタを介した通信を制御するステップと
を実行させるためのプログラムであって、
前記制御するステップは、
前記判定するステップが、前記外部機器が前記所定の通信規格に準拠した通信が可能か否かを判定する前に、前記外部機器に対して第１の電力で電力の供給が可能であることを示す情報を前記外部機器に提示するステップと、
前記判定するステップが、前記外部機器が前記所定の通信規格に準拠した通信が可能と判定したことに応じて、前記外部機器に対して前記第１の電力より大きい第２の電力で電力の供給が可能であることを示す情報を前記外部機器に提示するように、前記通信を制御するステップと
を有する、プログラム。
【手続補正２】
【補正対象書類名】明細書
【補正対象項目名】０００５
【補正方法】変更
【補正の内容】
【０００５】
実施形態の一態様によれば、コネクタと、前記コネクタに外部機器が接続されたことに応じて、前記外部機器が所定の通信規格に準拠した通信が可能か否かを判定する判断手段と、前記外部機器と前記コネクタを介した通信を制御する制御手段とを備え、前記制御手段は、前記判定手段が、前記外部機器が前記所定の通信規格に準拠した通信が可能か否かを判定する前に、前記外部機器に対して第１の電力で電力の供給が可能であることを示す情報を前記外部機器に提示し、前記判定手段が、前記外部機器が前記所定の通信規格に準拠した通信が可能と判定したことに応じて、前記外部機器に対して前記第１の電力より大きい第２の電力で電力の供給が可能であることを示す情報を前記外部機器に提示するように、前記通信を制御することを特徴とする電子機器が提供される。
【手続補正３】
【補正対象書類名】明細書
【補正対象項目名】０００６
【補正方法】削除
【補正の内容】